(57)【要約】【課題】引抜力によって扱き部材が容器本体から外れないようにしながら、扱き部材を容器本体に容易に装着することができるようにした液状化粧料塗布容器を提供すること。【解決手段】容器本体１の口頸部１０に、塗布体に付着した余分な化粧料を扱き取るための扱き部材３を装着するようにし、容器本体１の口頸部１０の内部に内側に突出する突壁１１を備え、この突壁１１の底面に扱き部材３に形成した当接部３２を当接する。【選択図】図１
2017042184.tif 000002
【特許請求の範囲】
【請求項１】
容器本体の口頸部に、塗布体に付着した余分な化粧料を扱き取るための扱き部材を装着するようにした液状化粧料塗布容器において、容器本体の口頸部の内部に内側に突出する突壁を備え、該突壁の底面に扱き部材に形成した当接部を当接するようにしたことを特徴とする液状化粧料塗布容器。
【請求項２】
前記突壁を周方向に断続して形成するとともに、該突壁が途切れた部分に扱き部材の外周面に形成した凸部が嵌合するようにしたことを特徴とする請求項１記載の液状化粧料塗布容器。
【請求項３】
前記容器本体を、ブロー成形によって成形してなることを特徴とする請求項１又は２記載の液状化粧料塗布容器。
【発明の詳細な説明】
【技術分野】
【０００１】
本発明は、マスカラ、アイライナー、アイシャドー、リップグロス等の液状化粧料（本明細書において、単に、「液状化粧料」という。）を収容し、収容した液状化粧料を、筆、ブラシ、刷毛等の塗布体（本明細書において、単に、「塗布体」という。）を用いて適用することができるようにした液状化粧料塗布容器に関する。
【背景技術】
【０００２】
従来、液状化粧料を収容し、収容した液状化粧料を、塗布体を用いて適用することができるようにした液状化粧料塗布容器として、軸体の一端に塗布体を備えた塗布具と、液状化粧料を収容した容器本体からなり、塗布体を容器本体に挿入可能とし、塗布具が容器本体の口部に着脱自在にされてキャップとなる液状化粧料塗布容器が汎用されている。
【０００３】
ところで、このような液状化粧料塗布容器においては、容器本体から塗布具の塗布体を取り出したときに、塗布体に付着した余分な化粧料を扱き取って塗布体に付着している液状化粧料の液量を調節するためのゴムや熱可塑性弾性体で形成した扱き部材を、容器本体の口頸部に装着するようにしている（例えば、特許文献１〜４参照。）。
【０００４】
この扱き部材は、特許文献１〜２においては、容器本体の内部に収容された、下方に延びる中栓状の部材によって化粧料を扱く構造が採用されている。
【０００５】
このような形態の扱き部材によって扱きを行う場合、下方に向かって突出するように設けられた扱き部材に対して、塗布具を上方に移動させて塗布具の塗布部を扱き部材に当接させて余分な化粧料を扱き取るようにするが、下方に向かって延びている形状の扱き部材は塗布部に当接する際の抵抗が大きくなり、場合によっては扱き部材に加わる上方への引抜力によって、扱き部材が容器本体から外れてしまうという問題があった。
一方、扱き部材が外れにくくなるように、容器本体と扱き部材との嵌合強度を大きくすると、扱き部材を容器本体に挿入するのに大きな力を要し、装着しにくいという問題があった。
【０００６】
また、特許文献３〜４においては、扱き部材を２種類の部材で構成することで、扱き部材が容器本体から外れてしまうという問題に対処するようにしているが、扱き部材を容器本体に装着するのに手数を要したり、コストアップになったりするという問題があった。
【先行技術文献】
【特許文献】
【０００７】
【特許文献１】特開２００１−２７８３６５号公報
【特許文献２】特開２００８−１６２６５４号公報
【特許文献３】特開２００３−３１９８２３号公報
【特許文献４】特開２００３−３３９４３６号公報
【発明の概要】
【発明が解決しようとする課題】
【０００８】
本発明は、上記従来の液状化粧料塗布容器の有する問題点に鑑み、引抜力によって扱き部材が容器本体から外れないようにしながら、扱き部材を容器本体に容易に装着することができるようにした液状化粧料塗布容器を提供することを第１の目的とする。
【０００９】
また、本発明は、扱き部材を容器本体に対して回転しないように装着することができるようにした液状化粧料塗布容器を提供することを第２の目的とする。
【００１０】
また、本発明は、液状化粧料塗布容器の容器本体にブロー成形によって成形したものを用いることができるようにした液状化粧料塗布容器を提供することを第３の目的とする。
【課題を解決するための手段】
【００１１】
上記第１の目的を達成するため、本発明の液状化粧料塗布容器は、容器本体の口頸部に、塗布体に付着した余分な化粧料を扱き取るための扱き部材を装着するようにした液状化粧料塗布容器において、容器本体の口頸部の内部に内側に突出する突壁を備え、該突壁の底面に扱き部材に形成した当接部を当接するようにしたことを特徴とする。
【００１２】
また、上記第２の目的を達成するため、本発明の液状化粧料塗布容器は、前記突壁を周方向に断続して形成するとともに、該突壁が途切れた部分に扱き部材の外周面に形成した凸部が嵌合するようにしたことを特徴とする。
【００１３】
また、上記第３の目的を達成するため、本発明の液状化粧料塗布容器は、前記容器本体を、ブロー成形によって成形してなることを特徴とする。
【発明の効果】
【００１４】
本発明の液状化粧料塗布容器は、容器本体の口頸部に、塗布体に付着した余分な化粧料を扱き取るための扱き部材を装着するようにした液状化粧料塗布容器において、容器本体の口頸部の内部に内側に突出する突壁を備え、該突壁の底面に扱き部材に形成した当接部を当接するようにすることにより、引抜力によって扱き部材が容器本体から外れないようにすることができる。
また、扱き部材を容器本体に挿入する際の抵抗を、実質的に、扱き部材に形成した当接部が突壁を乗り越える際の抵抗のみとすることが可能で、従来の液状化粧料塗布容器において、扱き部材が外れにくくなるように容器本体と扱き部材との嵌合強度を大きくした場合、扱き部材を容器本体に挿入する際に、口頸部の上部から下部のすべての領域で抵抗がかかり、挿入に大きな力を要し、扱き部材を容器本体に装着しにくいのと比較して、扱き部材を容器本体に挿入するのに大きな力を要さず、扱き部材を容器本体に容易に装着することができる。
【００１５】
また、前記突壁を周方向に断続して形成するとともに、該突壁が途切れた部分に扱き部材の外周面に形成した凸部が嵌合するようにすることにより、扱き部材を容器本体に対して回転しないように装着することができる。
【００１６】
また、突壁の底面に扱き部材に形成した当接部を当接するようにすることにより、引抜力によって扱き部材が容器本体から外れないようにすることができるので、容器本体に、寸法精度が比較的良くないブロー成形によって成形したものを用いることができ、容器本体の製造方法の多様化を図ることができ、また、液状化粧料塗布容器の製造コストを低廉にすることができる。
【図面の簡単な説明】
【００１７】
【図１】本発明の液状化粧料塗布容器の一実施例を示し、（ａ）は全体図、（ｂ）は容器本体の正面断面図、（ｃ）は平面図、（ｄ）は容器本体の口頸部に扱き部材を装着した状態を示す（ｃ）のＸ−Ｘ断面に対応する断面図（扱き部材は非断面）、（ｅ）は容器本体の口頸部に異なる扱き部材を装着した状態を示す（ｃ）のＹ−Ｙ断面に対応する断面図（扱き部材は非断面）である。
【発明を実施するための形態】
【００１８】
以下、本発明の液状化粧料塗布容器の実施の形態を、図面に基づいて説明する。
【００１９】
図１に、本発明の液状化粧料塗布容器の一実施例を示す。
この液状化粧料塗布容器は、液状化粧料を収容し、収容した液状化粧料を、塗布体を用いて適用することができるようにした液状化粧料塗布容器であって、液状化粧料を収容する容器本体１と、軸体の一端に塗布体を備え、塗布体を容器本体に挿入可能とした塗布具が容器本体１の口部に着脱自在にされてなるキャップ２とからなる。
そして、この液状化粧料塗布容器は、容器本体１の口頸部１０に、塗布体に付着した余分な化粧料を扱き取るための扱き部材３を装着するようにし、容器本体１の口頸部１０の内部に内側に突出する突壁１１を備え、この突壁１１の底面に扱き部材３に形成した当接部３２を当接するようにしている。
【００２０】
この場合において、容器本体１は、収容する塗布物質に応じて、合成樹脂のほか、金属で形成することができる。
【００２１】
突壁１１は、口頸部１０の内部の任意の位置に、周状又は、本実施例に示すように、周方向に断続して（具体的には、４箇所。）形成することができる。
【００２２】
また、突壁１１は、口頸部１０に装着する扱き部材３に合わせて、容器本体１の開口縁部から離れた口頸部１０の中間より下方位置、具体的には、口頸部１０のねじ部の下方位置に形成することが好ましい。
【００２３】
また、突壁１１を構成する上面及び下面は、扱き部材３を容器本体に挿入する場合、扱き部材３に形成した当接部３２が突壁１１を乗り越える際の抵抗を小さくできるように、上面は傾斜面に、また、引抜力によって扱き部材３が容器本体１から外れないように、下面は水平面に形成することが好ましい。
【００２４】
扱き部材３は、容器本体１から塗布具の塗布体を取り出したときに、塗布体に付着した余分な化粧料を扱き取って塗布体に付着している液状化粧料の液量を調節するためのもので、ゴムや熱可塑性弾性体で形成されている。
【００２５】
そして、扱き部材３は、図１（ｄ）に示すように、上端部に鍔部３１を形成することにより、鍔部３１と当接部３２とで、容器本体１の口頸部１０を挟み込むようにし、さらに、その中間部に、突壁１１が入り込む凹部３３を周状に形成するようにしている。
【００２６】
ここで、図１（ｅ）に示す変形実施例のように、突壁１１が入り込む凹部３３を、周方向に断続して形成した突壁１１に対応するように、突壁１１が途切れた部分１２に扱き部材３の外周面に形成した凸部３４が嵌合するようにすることができる。
これにより、扱き部材３を容器本体１に対して回転しないように装着することができる。
【００２７】
この液状化粧料塗布容器は、容器本体１の口頸部１０の内部に内側に突出するように備えた突壁１１の底面に、扱き部材３に形成した当接部３２を当接するようにすることによって、引抜力によって扱き部材３が容器本体１から外れないようにすることができる。
また、扱き部材３に形成した当接部３２の外径を、突壁１１を形成していない箇所の容器本体１の口頸部１０の内径と同程度に形成することによって、扱き部材３を容器本体１に挿入する際の抵抗を、実質的に、扱き部材３に形成した当接部３２が突壁１１を乗り越える際の抵抗のみとすることが可能で、従来の液状化粧料塗布容器において、扱き部材が外れにくくなるように容器本体と扱き部材との嵌合強度を大きくした場合、扱き部材を容器本体に挿入する際に、口頸部の上部から下部のすべての領域で抵抗がかかり、挿入に大きな力を要し、扱き部材を容器本体に装着しにくいのと比較して、扱き部材３を容器本体１に挿入するのに大きな力を要さず、扱き部材３を容器本体１に容易に装着することができる。
【００２８】
ところで、この液状化粧料塗布容器の容器本体１は、本実施例では、ブロー成形による合成樹脂で形成しているが、このほか、射出成形によっても製造することができる。
【００２９】
この液状化粧料塗布容器の容器本体１は、突壁１１の底面に扱き部材３に形成した当接部３２を当接するようにすることにより、引抜力によって扱き部材３が容器本体１から外れないようにすることができるので、容器本体１に、寸法精度が比較的良くないブロー成形によって成形したものを用いることができ、容器本体１の製造方法の多様化を図ることができ、また、液状化粧料塗布容器の製造コストを低廉にすることができる。
【００３０】
以上、本発明の液状化粧料塗布容器について、その実施例に基づいて説明したが、本発明は上記実施例に記載した構成に限定されるものではなく、その趣旨を逸脱しない範囲において適宜その構成を変更することができるものである。
【産業上の利用可能性】
【００３１】
本発明の液状化粧料塗布容器は、引抜力によって扱き部材が容器本体から外れないようにしながら、扱き部材を容器本体に容易に装着することができることから、マスカラ、アイライナー、アイシャドー、リップグロス等の液状化粧料を収容し、収容した液状化粧料を、筆、ブラシ、刷毛等の塗布体を用いて適用する液状化粧料塗布容器の用途に好適に用いることができる。
【符号の説明】
【００３２】
１  容器本体
１０  口頸部
１１  突壁
１２  突壁が途切れた部分
２  キャップ
３  扱き部材
３１  鍔部
３２  当接部
３３  凹部
３４  凸部
【図１】
2017042184.tif 000003